(57)【特許請求の範囲】
【請求項１】
発光手段としてのＬＥＤプレートを備えた照明器具と、この照明器具を取り付けると共に、その照明器具の照射光を反射させる反射面を備え、且つ、その反射面より放射される光を形成する形材からなる反射形ＬＥＤを備えた反射形材を用意し、
単窓、連窓、段窓又は連段窓の建物の開口を構成する建材及び／又は同建材であり前記反射形材を組み込むためのＬＥＤ組込スペース部を備えた建材を用意し、
これらの建材を用いて組立てられる単窓、連窓、段窓又は連段窓において、たて方向、横方向又はたて方向及び横方向に前記反射形材の照明器具を照明させる態様に応じて、前記ＬＥＤ組込スペース部を備えた建材に前記反射形材を組み入れ、
前記反射面は、少なくとも一部が前記照明器具の照射面に対向し、かつ、
前記照射光は、前記反射面により前記照明器具の後方向に放射されることを特徴とする建物の開口のＬＥＤ照射システム。
【請求項２】
発光手段としてのＬＥＤプレートを備えた照明器具と、この照明器具を取り付けると共に、その照明器具の照射光を反射させる反射面を備え、且つ、その反射面より放射される光を形成する形材からなる反射形ＬＥＤを備えた反射形材を用意し、
建物の開口を構成する建材及び／又は同建材であり前記反射形材を組み込むためのＬＥＤ組込スペース部を備えた建材を用意し、
既存の方立を用いて組立てられる単窓、連窓、段窓又は連段窓の建物開口において、たて方向、横方向又はたて方向及び横方向に前記反射形材の照明器具を照明させる態様に応じて、用意した前記ＬＥＤ組込スペース部を備えた方立の左右方立部材の何れか一方と、既存方立の左右方立部材の何れか一方を組合せ、前記ＬＥＤ組込スペース部を備えた建材に前記反射形材を組み入れ、
前記反射面は、少なくとも一部が前記照明器具の照射面に対向し、かつ、
前記照射光は、前記反射面により前記照明器具の後方向に放射されることを特徴とする建物の開口のＬＥＤ照射システム。
【請求項３】
発光手段としてのＬＥＤプレートを備えた照明器具と、この照明器具を取り付けると共に、その照明器具の照射光を反射させる反射面を備え、且つ、その反射面より放射される光を形成する形材からなる反射形材を用意し、
この反射形材を組み込むためのＬＥＤ組込スペース部を備えた専用補助部材を用意し、
既設の単窓、連窓、段窓又は連段窓の建物開口において、たて方向、横方向又はたて方向及び横方向に反射形材の照明器具を照明させる態様に応じて、専用補助部材に前記反射形材を組み込み、
前記反射面は、少なくとも一部が前記照明器具の照射面に対向し、かつ、
前記照射光は、前記反射面により前記照明器具の後方向に放射されることを特徴とする建物の開口のＬＥＤ照射システム。
【請求項４】
前記反射面が、前記形材の一端側に位置して前記照明器具の照射面に対して傾斜する傾斜面と、前記照射面と略平行に形成された平面と、前記平面から前記形材の他端側にかけて延在し、かつ、前記平面と平行でない面と、を備える反射形材が用意されることを特徴とする請求項１〜３のいずれかに記載のシステム。
【請求項５】
内照式及び外照式の反射形材が用意されることを特徴とする請求項１〜４のいずれかに記載のシステム。
【請求項６】
前記ＬＥＤ組込スペース部に前記反射形材が組み込まれない場合に、前記ＬＥＤ組込スペース部を備えた建材の前記ＬＥＤ組込スペース部を塞ぐフサギ材が用意されることを特徴とする請求項１〜５のいずれかに記載のシステム。
【発明の詳細な説明】
【技術分野】
【０００１】
本願発明は、発光手段としてのＬＥＤプレート（後述）から照射される光を建物の壁面、特に開口にて演出できる建物の開口のＬＥＤ照射システムに関する。
【背景技術】
【０００２】
出願人は、ＬＥＤプレートをアルミ押出し形材のケースに取り付けて構成されている照明器具を開発すると共に、その照明器具の建材への適用例についても、その研究、開発を進めている。
例えば、特許文献１では、ＬＥＤプレートを形材本体に配置し、そのＬＥＤプレートの上からコーティング材を充填して照明器具を構成し、その照明器具を内ケースとして、外ケースに組み込んでいる建材を提案している。
かかる建材は、建物の方立、無目、巾木、下枠等に取り付け、室内においては壁面の巾木等に取り付けられるもので、建物の出入り口、通路等での足元灯、誘導灯の照明として、通行者等に安全、安心感を与え、また建物のライトアップを図ることとしている（同文献の段落００４１）。
【０００３】
これらの建材は、照明技術分野の直接照明形のものに対応し、建材を構成する外ケース等の形材は、照明器具の上方を覆うもので、ＬＥＤプレートから照射される光を制御する光学的な要素ではなかった。
【先行技術文献】
【特許文献】
【０００４】
【特許文献１】特開２０１３−１０５６１１号公報
【発明の概要】
【発明が解決しようとする課題】
【０００５】
そこで、出願人は、形材の光学的要素に着目し、形材とＬＥＤプレートの照射光との関係性を高めるために、ＬＥＤプレートの適用例の開発を進め、本発明に至った。
即ち、具体的には、本願発明は、形材をＬＥＤプレートの取付手段とすると共に、光学的手段として位置付けること、照明器具を直接照明形の光源とせず、間接照明形の光源とすること、照明器具の照射光に対し、形材の反射面で反射させて、柔らかい光の演出にさせること、照明器具の照射光を形材に反射させることで、光の強さ、方向等の光の制御を可能とすること等の課題を解決できる部材を開発すると共に、その部材と建材とのコラボレーションを進め、建物の開口、例えばショ―ウィンドウを構成する建材に組込んだり、カーテンウォールの方立や無目等に組込むことができるようにすることを課題とする。
また、建物の開口に照明器具を組込む場合に、その組込のシステム化を図り、バリエーションに富んだ光の演出が可能な建物の開口を提供できるようにすること等を課題とする。
【課題を解決するための手段】
【０００６】
上記課題を解決するため、本願発明は、発光手段としてのＬＥＤプレートを備えた照明器具と、この照明器具を取り付けると共に、その照明器具の照射光を反射させる反射面を備え、且つ、その反射面より放射される光を形成する形材からなる反射形材を用意し、単窓、連窓、段窓又は連段窓の建物の開口を構成する建材及び／又は同建材であり前記反射形材を組み込むためのＬＥＤ組込スペース部を備えた建材を用意し、これらの建材を用いて組立てられる前記各窓において、たて方向、横方向又はたて方向及び横方向に前記反射形材の照明器具を照明させる態様に応じて、前記ＬＥＤ組込スペース部を備えた建材に前記反射形材を組み入れ、前記反射面は、少なくとも一部が前記照明器具の照射面に対向し、かつ、前記照射光は、前記反射面により前記照明器具の後方向に放射されることを特徴とする建物の開口のＬＥＤ照射システムとした（請求項１の発明）。
ここに建材は、建物の開口を構成する部材をいい、形材も含まれる。
【０００７】
発光手段としてのＬＥＤプレートを備えた照明器具と、この照明器具を取り付けると共に、その照明器具の照射光を反射させる反射面を備え、且つ、その反射面より放射される光を形成する形材からなる反射形ＬＥＤを備えた反射形材を用意し、建物の開口を構成する建材及び／又は同建材であり前記反射形材を組み込むためのＬＥＤ組込スペース部を備えた建材を用意し、既存の方立を用いて組立てられる単窓、連窓、段窓又は連段窓の建物開口において、たて方向、横方向又はたて方向及び横方向に前記反射形材の照明器具を照明させる態様に応じて、用意した前記ＬＥＤ組込スペース部を備えた方立の左右方立部材の何れか一方と、既存方立の左右方立部材の何れか一方を組合せ、前記ＬＥＤ組込スペース部を備えた建材に前記反射形材を組み入れ、前記反射面は、少なくとも一部が前記照明器具の照射面に対向し、かつ、前記照射光は、前記反射面により前記照明器具の後方向に放射されることを特徴とする建物の開口のＬＥＤ照射システムとした（請求項２の発明）。
【０００８】
発光手段としてのＬＥＤプレートを備えた照明器具と、この照明器具を取り付けると共に、その照明器具の照射光を反射させる反射面を備え、且つ、その反射面より放射される光を形成する形材からなる反射形材を用意し、この反射形材を組み込むためのＬＥＤ組込スペース部を備えた専用補助部材を用意し、既設の単窓、連窓、段窓又は連段窓の建物開口において、たて方向、横方向又はたて方向及び横方向に反射形材の照明器具を照明させる態様に応じて、専用補助部材に前記反射形材を組み込み、前記反射面は、少なくとも一部が前記照明器具の照射面に対向し、かつ、前記照射光は、前記反射面により前記照明器具の後方向に放射されることを特徴とする建物の開口のＬＥＤ照射システムとした（請求項３の発明）。
【０００９】
これらのシステムにおいて、前記反射面が、前記形材の一端側に位置して前記照明器具の照射面に対して傾斜する傾斜面と、前記照射面と略平行に形成された平面と、前記平面から前記形材の他端側にかけて延在し、かつ、前記平面と平行でない面と、を備える反射形材が用意される（請求項４の発明）。
【００１０】
これらのシステムにおいて、内照式及び外照式の反射形材が用意される（請求項５の発明）。
【００１１】
これらのシステムにおいて、前記ＬＥＤ組込スペース部に前記反射形材が組み込まれない場合に、前記ＬＥＤ組込スペース部を備えた建材の前記ＬＥＤ組込スペース部を塞ぐフサギ材が用意される（請求項６の発明）。
【発明の効果】
【００１２】
（１）  上記各システムは、建物の開口に前記反射形材を組込む場合に、新設及び既設の開口にかかわらず、その組込のシステム化により、例えば、建物の壁面のカーテンウォール、大開口のファサード、ショウウインドウ等の店舗周りにおいて、光のバリエーションに富んだ建物開口を提供できる。
（２）  内照式及び外照式の反射形材が用意される場合には、光のバリエーションを更に進めることができる。
（３）  反射形材自体に、配線経路が形成できるように、構成されているので、効率的に、また解かりやすく配線できる。
（４）  反射形材を組み込むためのＬＥＤ組込スペース部を備えた建材を用いることによる、そのＬＥＤ組込スペース部への雨漏り等の対策のために、フサギ材、補助金具が用意されている。
【図面の簡単な説明】
【００１３】
【図１】本願発明に係る反射形ＬＥＤを備えた形材の斜視図、
【図２Ａ】同形材の横断面図、
【図２Ｂ】内照式に取り付けられる同形材の横断面図、
【図２Ｃ】外照式に取り付けられる同形材の横断面図、
【図３】同形材を組み込むための方立の横断面図、
【図４】同形材を組み込むための別例の方立の横断面図、
【図５】同形材を取り付ける方立の横断面図、
【図６】同形材を組み込むためのたて枠の横断面図、
【図７】同形材を組み込むための上枠の縦断面図、
【図８】同形材を組み込むための無目の縦断面図、
【図９】同形材を組み込むための下枠の縦断面図、
【図１０】同形材を組み込むための巾木の縦断面図、
【図１１】フサギ材を取り付けた方立の横断面図、
【図１２】図５に示した方立に前記形材を組み込むために使用される形材の横断面図、
【図１３】図５に示した方立に前記形材を組み込むために使用される形材及び方立の横断面図、
【図１４Ａ】前記形材を建物の開口に組込むシステムに応じて構成される建物の正面図、
【図１４Ｂ】前記形材を建物の開口に組込むシステムに応じて構成される建物の正面図、
【図１４Ｃ】前記形材を建物の開口に組込むシステムに応じて構成される建物の正面図、
【図１５】図１４Ａに示したＡ−Ａ部矢視断面図、
【図１６】図１４Ａに示したＢ−Ｂ部矢視断面図、
【図１７Ａ】図１４Ａに示したＣ−Ｃ部矢視断面図、
【図１７Ｂ】同Ｃ−Ｃ部矢視断面図に示したフサギ材の構成例図、
【図１８】図１４Ｂに示したＤ−Ｄ部矢視断面図、
【図１９】図１４Ｂに示したＥ−Ｅ部矢視断面図、
【図２０】図１４Ｃに示したＦ−Ｆ部矢視断面図、
【図２１】図１４Ｃに示したＧ−Ｇ部矢視断面図、
【図２２】図１４Ｃに示したＨ−Ｈ部矢視断面図、
【図２３】前記形材を建物の開口に組込むシステムに応じて構成される建物の正面図、
【図２４】図２３に示したＩ−Ｉ部矢視断面図、
【図２５】前記形材を建物の開口に組込むシステムに応じて構成される建物の正面図、
【図２６】図２５に示したＪ−Ｊ部矢視断面図、
【図２７】図２５に示したＫ−Ｋ部に視断面図、
【図２８Ａ】前記形材を建物の開口に組込む場合の配線経路図、
【図２８Ｂ】前記形材を建物の開口に組込む場合の配線経路図、
【図２８Ｃ】前記形材を建物の開口に組込む場合の配線経路図、
【図２９】前記形材を建物の開口に組込むシステムに応じて構成される建物の正面図、
【図３０】図２９に示した要部横断面図、
【図３１】前記形材を建物の開口に組込むシステムに応じて構成される建物の開口の要部断面図である。
【発明を実施するための形態】
【００１４】
＜反射形材＞
本発明に係る反射形材の実施形態について、図面を参照しつつ説明する。
反射形材１は、図１に図示するように、照明器具２と、この照明器具２を取り付けると共に、その照射光を反射させる反射面３０を備え、且つ、その反射面３０より光を放射させる形材３からなる。
【００１５】
前記照明器具２は、図２Ａに示したようにＬＥＤプレート２０を配置するアルミ形材の本体２１と、ＬＥＤプレート２０を本体２１に押し付ける線材２２と、本体２１の端部まで充填されるコーティング材２３から形成されている。
【００１６】
前記ＬＥＤプレート２０は、ＬＥＤチップを電極パターンが描かれた基板に直接配置したモジュールから構成される。具体的には、ＬＥＤプレート２０は、例えば配線パターン及びアンカー部が形成される基板と、前記配線パターン上に施される補助メッキ及び金メッキを介して電極が接続されるＬＥＤチップからなる。ここにＬＥＤチップは、単一の発光色のもの、赤色、緑色及び青色に発光する各チップを並べたマルチタイプのもの等がある。前記ＬＥＤチップの周囲には、レンズ状（凸状）のコーティング層が形成されている。
【００１７】
以上のように構成される前記照明器具２は、１２チップ、１６チップ又は２０チップ等で必要に応じて任意のチップ数を単位に構成され、各前記照明器具２は基盤連結部（図示せず）を介して、長尺状に接続できるようになっている。
【００１８】
前記形材３は、図１のように長尺状に成形されるもので、その横断面の図２Ａに示したように、湾曲面の前記反射面３０に照明器具２の照射面２４を対向させると共に、その湾曲面の一端側３１に前記照明器具２を取付る取付部３２及び形材３を建物の建材（後述）に取り付けるための一端側係止部３３を備え、その湾曲面の他端側３４に他端側係止部３５を備えている。
【００１９】
前記反射面３０は、形材３の一端側３１に位置される照明器具２の照射面２４に対し、全範囲に亘って、前記照射面２４の照射光を反射させることを想定して形成されている。
本実施形態では、反射面３０は、前記一端側３１から、順次、照射面２４から照射される光を反射させる傾斜面３００と、照射面２４と略平行に形成され、照射面２４から照射される光を反射させる平面３０１と、平面３０１から他端側３４にかけて湾曲する曲面３０２とを備えている。
【００２０】
前記取付部３２は、前記照明器具２を収容する略コ字状の収容枠３２０と、その収容枠３２０の内側に、照明器具２の係合ヒレ２５、２５をスライドさせるスライド部３２１を備えている。
【００２１】
前記収容枠３２０は、前記反射面３０に前記照射面２４を対向できるように構成されているので、光源としてのＬＥＤプレート２０が見え難くなっており、前記照明器具２を間接照明形とすることができる。
【００２２】
前記一端側係止部３３は、前記収容枠３２０から照射面２４に対して略垂直に延在すると共に、その端部が前記平面３０１の底面と略同一の位置にて、その方向に屈曲されて形成されている。
前記他端側係止部３５は、前記曲面３０２の終端に、且つ、前記一端側係止部３３と略平行に延在して形成されている。
【００２３】
前記反射形材１は、図２Ｂのように、照明器具２を内側に配置する内照タイプに構成されるが、図２Ｃのように、照明器具２を外側に配置する外照タイプに構成することもできる。
なお、内照タイプと外照タイプは共に、外観（図２Ｂ及び図２Ｃにおいて紙面の上側）からも、前記反射面３０がガラス（図示なし）を透して見えるようになっている。
【００２４】
以上のように構成される反射形材１は、建物の建材（例えば後述の方立）を介して、前記照明器具２が見込方向（図２Ｂ、図２Ｃ参照）にも、見付方向にも配置されるように取り付けられる。
【００２５】
反射形材１の作用効果を纏めると、次のようである。
（１）  前記形材３はアミル形材からなるもので、前記反射面３０により、柔らかな光沢の光が生成され、柔らかな光の演出が可能となって、形材３を光学的手段の金属鏡として機能させることができる。
（２）  前記形材３の収容枠３２０は、前記反射面３０に前記照射面２４が対向するように構成されているので、光源としてのＬＥＤプレート２０が見え難くなっており、前記照明器具２を間接照明形とすることができる。
（３）  前記反射形材１の前記反射面３０により、前記照明器具２の照射光は、反射面３０の全範囲に亘って反射されて、その反射面３０より光源である照明器具２の後方向（例えば、図２Ａにおいて紙面の上側）に放射されるように制御される。
（４）  前記照明器具２が、建物の建材（例えば後述の方立）に取り付けられて見込方向に配置される場合には、前記反射形材１が室外に配置されていても、また室内に配置されていても、室外側及び室内側からも反射面３０が見えるようになっている。即ち、外観及び内観の両側から、反射面３０が見えるようになっている。
（５）  前記反射形材１は、外観及び内観の両側から反射面３０が見えるようになっていること、内照式にも外照式にも構成できることから、変化に富んだ照射を可能として、建物の壁面のバリエーションに富んだ光の演出を図ることができる。
【００２６】
次に、建物の建材に上記反射形材１を用いる場合に、予め準備する建材として、方立、無目、上枠、下枠、巾木の構成例を図３〜図１０に基づいて説明する。
【００２７】
＜方立４Ａ＞
方立４Ａは、図３に図示したように、一対の左側方立部材４０と右側方立部材４１からなり、それぞれガラス板等の面材の一端を収容する面材収容溝部４２、４２と、左右方立部材４０、４１を結合する結合部４３、４４を備え、各結合部４３、４４を結合させた後、ネジ４５等により連結することで、第１の支柱部４６と第２の支柱部４７が形成されると共に、一対の左側方立部材４０と右側方立部材４１とに分解できるようになっている。
前記第２の支柱部４７側の左右方立部材４０、４１の壁面は、凹状に形成され、その凹状の空間が前記反射形材１を組み込むためのＬＥＤ組込スペース部４８、４８となっている。
【００２８】
前記ＬＥＤ組込スペース部４８は、前記反射形材１の一端側係止部３３を係止する受片４８０、４８０と、他端側係止部３５を係止する受溝４８１、４８１と、前記照明器具２の配線用通路を形成する通路片４８２、４８２と、その通路片４８２、４８２の外側に形成されることにより、弾性材１３（後述）の取付位置となるスペース４８３、４８３を備えている。よって、このＬＥＤ組込スペース部４８に前記反射形材１を組み込むことで、前記照明器具２は、方立４Ａ等により構成される建物の開口（以下、単に開口とも称する）に対し見込方向に配置される。
【００２９】
＜方立４Ｂ＞
方立４Ｂは、図４のように、前記方立４Ａと同様の分解方立であって、方立４Ａの第２の支柱部４７側に、前記ＬＥＤ組込スペース部４８を形成すると共に、その先端側に中空部４９を形成したものである。その他の構成は、前記方立４Ａと略同一であり、以下では、方立４Ｂを方立４Ａに代表させて説明する。
【００３０】
＜方立４Ｃ＞
方立４Ｃは、図５のように、前記方立４Ａと同様の分解方立であって、第２の支柱部４７ｃには、前記ＬＥＤ組込スペース部４８が形成されておらず、中空状に形成されている。その他の構成は、前記方立４Ａと略同一である。
【００３１】
＜たて枠５＞
たて枠５は、開口の左右の枠を構成するもので、図６に示したように、ガラス板等の面材の一端を収容する面材収容溝部５０と、前記反射形材１を組み込むためのＬＥＤ組込スペース部５１を備えている。
【００３２】
ＬＥＤ組込スペース部５１は、前記ＬＥＤ組込スペース部４８と略同一に構成されているので、それぞれ同一の名称を付して、詳細な説明を省略する。
このＬＥＤ組込スペース部５１においても、前記照明器具２は、前記開口に対し見込方向に配置されることとなる。
【００３３】
＜上枠６＞
上枠６は、図７に示したように、前記たて枠５の構成を上枠に流用したもので、ガラス板等の面材の一端を収容する面材収容溝部６０と、前記反射形材１を組み込むためのＬＥＤ組込スペース部６１を備えている。
【００３４】
このＬＥＤ組込スペース部６１は、前記ＬＥＤ組込スペース部４８と略同一に構成されているので、それぞれ同一の名称を付して、詳細な説明を省略する。
このＬＥＤ組込スペース部６１においても、前記照明器具２は、前記開口に対し見込方向に配置されることとなる。
【００３５】
＜無目７＞
無目７は、前記開口に用いられる横桟を構成するもので、図８に示したように、本体７０と、この本体７０から取外し可能で、ガラス板等の面材の組入れ、組外し等の際に、分離される押縁７１からなり、面材収容溝部７２、７２と、前記反射形材１を組み込むためのＬＥＤ組込スペース部７３を備えている。
この無目７には前記照明器具２の配線用通路は必要とされていないが、前記通路片４８２等と同様のものを形成してもよい。
【００３６】
このＬＥＤ組込スペース部７３は、前記反射形材１の一端側係止部３３を係止する受片７４と、他端側係止部３５を係止する受溝７５と、スペース７６を備えている。
よって、このＬＥＤ組込スペース部７３においても、前記照明器具２は、前記開口に対し見込方向に配置されることとなる。
【００３７】
なお、前記無目７の見付幅Ｗが狭いことから、下方向にのみＬＥＤ組込スペース部７３を形成しているが、見付幅Ｗを幅広にして、上方向にもＬＥＤ組込スペース部７３を形成するようにしてもよい。
【００３８】
＜下枠８＞
下枠８は、前記開口の下部に用いられる横枠を構成するもので、図９に示したように、本体８０と、この本体８０から取外し可能で、ガラス板等の面材の組入れ、組外し等の際に、分離される押縁８１からなり、面材収容溝部８２と、前記反射形材１を組み込むためのＬＥＤ組込スペース部８３を備えている。
【００３９】
ＬＥＤ組込スペース部８３は、前記ＬＥＤ組込スペース部７３と略同一に構成され、同一の効果を生ずるもので、それぞれ同一の名称を付して、詳細な説明を省略する。
【００４０】
＜巾木９＞
巾木９は、建物開口の最下部に用いられる横材を構成するもので、図１０に示したように、本体９０と、この本体９０から取外し可能で、ガラス板等の面材の組入れ、組外し等の際に、分離される押縁９１からなり、面材収容溝部９２と、前記反射形材１を組み込むためのＬＥＤ組込スペース部９３を備えている。
【００４１】
ＬＥＤ組込スペース部９３は、前記ＬＥＤ組込スペース部７３と略同一に構成され、同一の効果を生ずるもので、それぞれ同一の名称を付して、詳細な説明を省略する。
【００４２】
次に前記各建材に、必要に応じて付属させる形材の構成例を説明する。
＜フサギ材１０＞
フサギ材１０は、前記各建材の前記各ＬＥＤ組込スペース部４８、５１、６１、７３、８３、９３に前記反射形材１を組み込まない場合に、各ＬＥＤ組込スペース部４８、５１、６１、７３、８３、９３を塞ぐもので、図１１のように前記各受片４８０、５２、６２、７４、８４、９４に係止させる一端側係止部１００と、前記各受溝４８１、５３、６３、７５、８５、９５に係止させる他端側係止部１０１を備えている。
【００４３】
＜専用補助部材１１＞
専用補助部材１１は、建材として前記方立４Ｃを用いる場合に、前記方立４Ｃに前記反射形材１を組み込む際の媒介材となるもので、図１２のように、前記反射形材１を組み込むためのＬＥＤ組込スペース部１１０を備え、そのＬＥＤ組込スペース部１１０は、前記反射形材１の一端側係止部３３を係止する受片１１１と、他端側係止部３５を係止する受溝１１２と、スペース１１３を備えている。
【００４４】
＜専用補助部材１２＞
専用補助部材１２は、前記専用補助部材１１と同様に方立４Ｃに前記反射形材１を組み込む際の媒介材となるもので、図１３のように、前記反射形材１を組み込むためのＬＥＤ組込スペース部１２０を備え、そのＬＥＤ組込スペース部１２０は、前記反射形材１の一端側係止部３３を係止する受片１２１と、他端側係止部３５を係止する受溝１２２と、前記照明器具２の配線用通路を形成する通路片１２３と、その通路片１２３の外側に形成されるスペース１２４を備えている。
【００４５】
以上のような建材等は、反射形材１を建物開口の室内側に組み込む場合を想定して、それぞれ構成されている。前記反射形材１に防水等の機能を施して室外側に組み込むことも可能で、それに対応させて建材等も構成される。
【００４６】
次に、上記反射形材１、方立４Ａ等の建材及びフサギ材１０等の形材を有機的に組合わせて、建物開口のＬＥＤ照射システムを組立てる仕組み（システム）について説明する。
【００４７】
該システムにおいては、内照式の反射形材１及び外照式の反射形材１を用意する。
これらの反射形材１を組み込むためのＬＥＤ組込スペース部を備えた方立４Ａ、たて枠５、上枠６、無目７、下枠８及び巾木９、その他の建材を用意する。
これらの建材を用いて組立てられる単窓、連窓、段窓又は連段窓の建物開口において、たて方向、横方向又はたて方向及び横方向に反射形材１の照明器具２を照明させる態様に応じて、前記反射形材１を組み込むシステムとなっている。このシステムにおいて、照明態様に応じて前記反射形材１の配線経路が選択される。
かかるシステムでは、所定のサッシ工法やカーテンウォール工法等により施工され、以下のような構造の建物開口が作られる。後述のシステムでも同様である。
【００４８】
ＬＥＤ組込一体型システム
このＬＥＤ組込一体型システムは、建物開口を新設するもので、前記照射態様に応じて、たて照射型、横照射型、グリット照射型、その他の照射型となる。
たて照射型
たて照射型は、建物開口が、例えば図１４Ａのように連窓、連段窓の場合に、前記方立４Ａ、たて枠５、上枠６、無目７、下枠８又は巾木９、その他の建材を用いて、反射形材１を組み込むことにより、同図中の「１」で示される反射形材１の照射態様が形成されるものである。
図１５〜図１７に基づいて、その構造例を示せば次の通りである。
即ち、方立４Ａ、たて枠５、上枠６、無目７、下枠８又は巾木９及びその他の建材からなる建物開口において、前記反射形材１が前記方立４ＡのＬＥＤ組込スペース部４８及びたて枠５のＬＥＤ組込スペース部５１に、それぞれ組み込まれる構造となっている。
【００４９】
各ＬＥＤ組込スペース部４８、５１に前記反射形材１を組み込む場合には、前記スペース４８３、５５に、ビード（ゴムビード）、ゴムパッキン等の弾性材１３を配置して、前記受溝４８１、５３に入り込ませた前記反射形材１の他端側係止部３５を支点として、弾性材１３を押し込むように、前記受片４８０、５２に前記反射形材１の一端側係止部３３を係止させる。
かかる前記方立４Ａへの前記反射形材１の組込構造は、前記方立４Ａから前記反射形材１を取外すことができることとなり、前記反射形材１のメンテナンスとして、例えば前記照明器具２の交換等が容易にできるようになっている。
【００５０】
図１６の符号「１４」に示したのは、その他の建材としての無目７Ａより下方の方立４Ａ、たて枠５に組込まれている各照明器具２に接続される配線（後述の下部ＬＥＤ配線１７に共通）を示すもので、該配線１４は、前記通路片４８２、５４のコンパクトなスペースにより、整理されて配置できるようになっている。
図１７Ａの符号「１５」に示したのは、前記各配線１４等の中継点となるコネクタで、これらのコネクタ１５は、フサギ材１０Ａ（後述）の固定足（斜線部）を切り欠いて形成されるＬＥＤ組込スペース部４８、５１のスペースに配置され、上部ＬＥＤ配線１６、下部ＬＥＤ配線１７を介して電源に接続されている。
また、図１７Ａの符号「１０Ａ」に示したものは、図１７Ｂで図示するように、上枠６Ａ、無目７Ａ又は下枠８Ａが、方立４Ａ又は左右たて枠５、５に当たる箇所に設けられ、且つ、その箇所の前記ＬＥＤ組込スペース部４８、５１を塞ぐフサギ材である。
図１７Ａの符号「１９」に示したものは、前記無目７Ａ又は下枠８Ａの面材収容溝部７２ＡからＬＥＤ組込スペース部４８、５１への雨水等の浸入を防ぐための補助金具であって、無目７Ａ又は下枠８Ａの両端部に設けられている。これは、方立４Ａ及び左右のたて枠５、５との接合部に設けられる水密材（マットシーラー）の当てとして作用するものであり、水密材の一部が捲れて、そこからＬＥＤ組込スペース部４８、５１へ雨水等が浸入することを防止する。
図１７Ａ及び図１７Ｂの符号「Ｓ」に示したものは、方立４Ａ及び左右たて枠５、５と、下枠８Ａ等の横材との取合部に設けられたシーリング部であって、かかるシーリング部Ｓにより、ＬＥＤ組込スペース部４８、５１への雨水等の浸入を防ぐようになっている。
【００５１】
横照射型
横照射型は、建物開口が、例えば図１４Ｂのように連窓、連段窓の場合に、前記方立４Ａ、たて枠５、上枠６、無目７、下枠８又は巾木９及びフサギ材１０、他の建材を用いて、反射形材１を組み込むことにより、同図中の「１」で示される反射形材１の照射態様が形成されるものである。
図１８〜図１９に基づいて、それらの構造例を示せば次の通りである。
即ち、方立４Ａ、たて枠５、上枠６、無目７、下枠８又は巾木９及びその他の建材からなる建物開口において、前記反射形材１が前記上枠６のＬＥＤ組込スペース部６１及び下枠８のＬＥＤ組込スペース部８３にそれぞれ組み込まれ、  フサギ材１０が、前記方立４Ａ及びたて枠５、５の各ＬＥＤ組込スペース部４８、５１に組み込まれている。
【００５２】
各ＬＥＤ組込スペース部４８、５１に前記フサギ材１０を組み込む場合には、前記スペース４８３、５５に、前記弾性材１３を配置して、前記受溝４８１、５３に入り込んだ前記フサギ材１０の他端側係止部１０１を支点として、弾性材１３を押し込むように、前記受片４８０、５２に前記フサギ１０の一端側係止部１００を係止させる。
その他の構成は、たて照射型と同様であり、詳細な説明は省略する。
【００５３】
グリット照射型
グリット照射型は、建物開口が、例えば図１４Ｃのように連窓、連段窓の場合に、前記方立４Ａ、たて枠５、上枠６、無目７、下枠８又は巾木９及びその
他の建材を用いて、反射形材１を組み込むことにより、同図中の「１」で示される反射形材１の照射態様が形成されるものである。
即ち、図２０〜図２２に示すように、方立４Ａ、たて枠５、上枠６、無目７、下枠８又は巾木９及びその他の建材からなる建物開口において、前記反射形材１が前記方立４ＡのＬＥＤ組込スペース部４８及びたて枠５のＬＥＤ組込スペース部５１にそれぞれ組み込まれると共に、前記反射形材１が前記上枠６のＬＥＤ組込スペース部６１及び下枠８のＬＥＤ組込スペース部８３にそれぞれ組み込まれている。
その他の構成は、たて照射型及び横照射型と同様であり、詳細な説明は省略する。
【００５４】
上記たて照射型、横照射型、グリット照射型以外の照射型として、建物開口において、Ｌ字型、逆Ｌ字型の照射態様が想定される。
【００５５】
次に、上記システムとは別例のシステム例を図２３〜図２７に基づいて説明する。
該システムにおいては、内照式の反射形材１又は外照式の反射形材１を用意する。
これらの反射形材１を組み込むためのＬＥＤ組込スペース部を備えた方立４Ａ、たて枠５、上枠６、無目７、下枠８及び巾木９、その他の建材を用意する。
方立４Ｃを用いて組立てられる単窓、連窓、段窓又は連段窓の建物開口において、たて方向、横方向又はたて方向及び横方向に反射形材１の照明器具２を照明させる態様に応じて、前記方立４Ｃの左右方立部材４０、４１の何れか一方と、方立４Ａの左右方立部材４０、４１の何れか一方を組み合わせて、前記反射形材１を組み込むシステムとなっている。
【００５６】
既存枠応用型１
既存枠応用型１は、建物開口が、既存の前記方立４Ｃ、上下枠６Ａ、８Ａ等で構成されている場合に、これらの構成と前記方立４Ａ、上下枠６、８、無目７とを組み合わせて、開口を構成するものであり、次の２つのタイプにより構成される。
なお、これらのタイプは、反射形材１を組み込まないＬＥＤ組込スペース部が存在しないので、前記フザギ材１０が不要となる。
【００５７】
＜１ユニット型＞
１ユニット型は、前記方立４Ｃの左右方立部材４０、４１及び上下枠６Ａ、８Ａから構成される１ユニットを取外し、その代わりに前記方立４Ａの左右方立部材４０、４１及び上下枠６、８から建物開口を構成するもので、前記グリット照射型に対応する。
即ち、図２４に図示されているように、前記方立４Ｃ、上下枠６Ａ、８Ａにより構成されている建物開口において、１対となるように前記方立４Ａの左右方立部材４０、４１の何れか一方と前記方立４Ｃの左右方立部材４０、４１の何れか一方とが固定されると共に、前記反射形材１が、前記方立４Ａの左右方立部材４０、４１の各ＬＥＤ組込スペース部４８、前記上枠６のＬＥＤ組込スペース部６１及び、下枠８のＬＥＤ組込スペース部８３に組み込まれている。
【００５８】
＜片面照射型＞
片面照射型は、前記方立４Ｃ及び上下枠６Ａ、８Ａ等から開口が構成される場合に、前記方立４Ｃの左右方立部材４０、４１の何れか一方の方立部材を残し、他方の左右方立部材４０、４１を取り外し、前記方立４Ａの何れ一方の左右方立部材４０、４１を取り付けて建物開口を構成すものである。
即ち、図２６の構成例では、前記反射形材１が前記方立４Ａの左方立部材４０のＬＥＤ組込スペース部４８に組み込まれている。  
また、図２７の構成例では、前記反射形材１が前記方立４Ａの右方立部材４１の各ＬＥＤ組込スペース部４８に組み込まれている。
【００５９】
配線経路
上記各システムにおいて、前記各照明器具２を接続するための配線は、各照明器具２の配置及び各通路片４８２等により形成される路線にそって、たて照射型、横照射型、グリット照射型のタイプ毎に、次のような配線経路が形成さる。
図２８Ａのたて照射型では、各照明器具２の配置に沿い、その上端から電源に向かい、段窓の場合には下部ＬＥＤ配線は通路片４８２を用いて電源に向かう配線が左右対称に配置される。
図２８Ｂの横照射型では、電源に向かう配線が通路片４８２を用いて左右何れの一方に形成される。
図２８Ｃのグリット照射型では、電源に向かう配線が通路片４８２を用いることにより左右対称に配置される。
よってこのような配線経路により、配線の把握が容易である。
【００６０】
次に、上記各システムとは別例のシステム例を説明する。
該システムにおいては、内照式の反射形材１又は外照式の反射形材１を用意する。
これらの反射形材１を組み込むためのＬＥＤ組込スペース部を備えた専用補助部材を用意する。
既設の単窓、連窓、段窓又は連段窓の建物開口において、たて方向、横方向又はたて方向及び横方向に反射形材１の照明器具２を照明させる態様に応じて、専用補助部材に前記反射形材１を組み込むシステムとなっている。
その結果、以下のような既存枠応用型２及び同３の建物開口が完成される。
【００６１】
既存枠応用型２
既存枠応用型２は、図２９のように建物開口が既存の方立４Ｃで構成されている場合に、これらの構成に前記専用補助部材１１を用いて前記反射形材１を後付けするものである。
【００６２】
即ち、図３０のように、前記方立４Ｃに専用補助部材１１を固定して、そのＬＥＤ組込スペース部１１０に前記反射形材１を組み込んで構成されている。
なお、専用補助部材１１は方立４Ｃの見付け面に固定されているが、反射形材１は、建物の建材（方立４Ｃと専用補助部材１１を一体化）の見込方向に組み込まれている。
【００６３】
既存枠応用型３
既存枠応用型３は、図３１のように建物開口が方立４Ｃで構成されている場合に、これらの方立４Ｃに前記専用補助部材１２を用いて前記反射形材１を後付けするものである。
【００６４】
上記各システムは、建物の開口に前記反射形材を組込む場合に、新設及び既設の開口にかかわらず、その組込のシステム化により、例えば、建物の壁面のカーテンウォール、大開口のファサード、ショウウインドウ等の店舗周りにおいて、光のバリエーションに富んだ建物開口を提供できる。
【００６５】
本発明は、以上説明した実施形態に限定されるものではなく、多くの変形が本発明の技術的思想内で当分野において、通常の知識を有する者により可能である。
例えば、反射形材１を、建物の建材（方立や無目等）を介して、照明器具２が見付方向に配置されるように取り付けて、反射面３０が正面から見えるようにしてもよい。
【符号の説明】
【００６６】
１  反射形材
２  照明器具                            ２０  ＬＥＤプレート
２１  アルミ形材の本体                  ２２  線材
２３  コーティング材                    ２４  照射面
２５、２５  係合ヒレ
３  形材                                ３０  反射面
３１  一端側                            ３２  取付部
３３  一端側係止部                      ３４  他端側
３５  他端側係止部
３００  傾斜面                          ３０１  平面
３０２  曲面                            ３２０  収容枠
３２１  スライド部
４Ａ  ４Ｂ  ４Ｃ  方立                  ４０  左側方立部材
４１  右側方立部材                      ４２、４２  面材収容溝部
４３、４４  結合部                      ４５  ネジ
４６  第１の支柱部                      ４７  第２の支柱部
４８  ＬＥＤ組込スペース部              ４８０、４８０  受片
４８１、４８１  受溝                    ４８２、４８２  通路片
４８３、４８３  スペース
４９  中空部
５  たて枠                              ５０  面材収容溝部
５１  ＬＥＤ組込スペース部              ５２  受片
５３  受溝                              ５４  通路片
５５  スペース
６  上枠                                ６０  面材収容溝部
６１  ＬＥＤ組込スペース部              ６２  受片
６３  受溝                              ６４  通路片
６５  スペース
７  無目                                ７０  本体
７１  押縁                              ７２、７２  面材収容溝部
７３  ＬＥＤ組込スペース部              ７４  受片
７５  受溝                              ７６  スペース
８  下枠                                ８０  本体
８１  押縁                              ８２  面材収容溝部
８３  ＬＥＤ組込スペース部              ８４  受片
８５  受溝                              ８６  スペース
９  巾木                                ９０  本体
９１  押縁                              ９２  面材収容溝部
９３  ＬＥＤ組込スペース部              ９４  受片
９５  受溝                              ９６  スペース
１０  １０Ａ  フサギ材                  １００  一端側係止部
１０１  他端側係止部
１１  専用補助部材
１１０  ＬＥＤ組込スペース部            １１１  受片
１１２  受溝                            １１３  スペース
１２  専用補助部材
１２０  ＬＥＤ組込スペース部            １２１  受片
１２３  通路片                          １２４  スペース
１３  弾性材
１４  配線
【図１】
0006425437.tif 000002
【図２Ａ】
0006425437.tif 000003
【図２Ｂ】
0006425437.tif 000004
【図２Ｃ】
0006425437.tif 000005
【図３】
0006425437.tif 000006
【図４】
0006425437.tif 000007
【図５】
0006425437.tif 000008
【図６】
0006425437.tif 000009
【図７】
0006425437.tif 000010
【図８】
0006425437.tif 000011
【図９】
0006425437.tif 000012
【図１０】
0006425437.tif 000013
【図１１】
0006425437.tif 000014
【図１２】
0006425437.tif 000015
【図１３】
0006425437.tif 000016
【図１４Ａ】
0006425437.tif 000017
【図１４Ｂ】
0006425437.tif 000018
【図１４Ｃ】
0006425437.tif 000019
【図１５】
0006425437.tif 000020
【図１６】
0006425437.tif 000021
【図１７Ａ】
0006425437.tif 000022
【図１７Ｂ】
0006425437.tif 000023
【図１８】
0006425437.tif 000024
【図１９】
0006425437.tif 000025
【図２０】
0006425437.tif 000026
【図２１】
0006425437.tif 000027
【図２２】
0006425437.tif 000028
【図２３】
0006425437.tif 000029
【図２４】
0006425437.tif 000030
【図２５】
0006425437.tif 000031
【図２６】
0006425437.tif 000032
【図２７】
0006425437.tif 000033
【図２８Ａ】
0006425437.tif 000034
【図２８Ｂ】
0006425437.tif 000035
【図２８Ｃ】
0006425437.tif 000036
【図２９】
0006425437.tif 000037
【図３０】
0006425437.tif 000038
【図３１】
0006425437.tif 000039